(57)【要約】【課題】録画機器の接続状態に応じたスムーズな録画操作を可能とする記録制御装置及び記録制御方法を提供すること。【解決手段】この発明の一実施形態に係る記録制御装置は、複数の情報記憶機器と接続するための接続手段と、ユーザ操作に対応した指示を指定する指定手段と、前記接続手段を介して一つの情報記憶機器だけが接続された状態において、前記指定手段からの、情報記憶機器に対する情報記録の指定に対応し、情報記憶機器の選択画面を表示するための第１の表示情報を出力することなく、前記接続済み情報記憶機器に対する情報記録の指定画面を表示するための第２の表示情報を出力する表示情報出力手段と、前記指定手段からの、前記第２の表示情報により表示された指定画面を介した情報記録の指定に対応し、前記接続済み情報記憶機器に対する情報の記録を制御する記録制御手段と、を備える。【選択図】      図３
2010040158.tif 000002
【特許請求の範囲】
【請求項１】
複数の情報記憶機器と接続するための接続手段と、
ユーザ操作に対応した指示を指定する指定手段と、
前記接続手段を介して一つの情報記憶機器だけが接続された状態において、前記指定手段からの、情報記憶機器に対する情報記録の指定に対応し、情報記憶機器の選択画面を表示するための第１の表示情報を出力することなく、前記接続済み情報記憶機器に対する情報記録の指定画面を表示するための第２の表示情報を出力する表示情報出力手段と、
前記指定手段からの、前記第２の表示情報により表示された指定画面を介した情報記録の指定に対応し、前記接続済み情報記憶機器に対する情報の記録を制御する記録制御手段と、
を備えたことを特徴とする記録制御装置。
【請求項２】
情報を記憶する情報記憶手段を備え、
前記記録制御手段は、前記情報記憶手段に記憶された前記情報を前記接続済み情報記憶機器に対して記録する、
ことを特徴とする請求項１に記載の記録制御装置。
【請求項３】
複数の情報記憶機器と接続するための接続手段と、
ユーザ操作に対応した指示を指定する指定手段と、
前記接続手段を介して複数の情報記憶機器が接続された状態において、前記指定手段からの、情報記憶機器に対する情報記録の指定に対応し、情報記憶機器の選択画面を表示するための第１の表示情報を出力し、前記指定手段からの、前記選択画面を介した複数の情報記憶機器の中から一つの情報記憶機器の選択に対応し、前記選択済み情報記憶機器に対する情報記録の指定画面を表示するための第２の表示情報を出力する表示情報出力手段と、
前記指定手段からの、前記第２の表示情報により表示された指定画面を介した情報記録の指定に対応し、前記選択済み情報記憶機器に対する情報の記録を制御する記録制御手段と、
を備え、
前記表示情報出力手段は、前記接続手段を介して複数の情報記憶機器が接続された状態、且つ前記指定手段により一つの情報記憶機器が選択された状態において、前記指定手段からの、情報記憶機器に対する情報記録の指定に対応し、前記第１の表示情報を出力することなく、前記第２の表示情報を出力することを特徴とする録画制御装置。
【請求項４】
情報を記憶する情報記憶手段を備え、
前記記録制御手段は、前記情報記憶手段に記憶された前記情報を前記選択済み情報記憶機器に対して記録する、
ことを特徴とする請求項３に記載の記録制御装置。
【請求項５】
前記第２の表示情報は、前記選択画面へのジャンプを指定するための第３の表示情報を含むことを特徴とする請求項３に記載の録画制御装置。
【請求項６】
前記表示情報出力手段は、前記指定手段により複数の情報記憶機器の中から一つの情報記憶機器が選択された状態であるにもかかわらず、前記選択済み情報記憶機器へアクセス不能な状態において、前記選択済み情報記憶機器に対して情報記録不能なことを通知するための第３の表示情報を出力することを特徴とする請求項３に記載の録画制御装置。
【請求項７】
前記表示情報出力手段は、前記指定手段により複数の情報記憶機器の中から一つの情報記憶機器が選択された状態であるにもかかわらず、前記選択済み情報記憶機器へアクセス不能な状態において、前記第１の表示情報を出力することを特徴とする請求項３に記載の録画制御装置。
【請求項８】
複数の情報記憶機器と接続するための接続部を介して一つの情報記憶機器だけが接続された状態において、情報記憶機器の選択画面を表示するための第１の表示情報を出力することなく、前記接続済み情報記憶機器に対する情報記憶の指定画面を表示するための第２の表示情報を出力し、
前記第２の表示情報により表示された前記指定画面を介した情報記録の指定に対応し、前記接続済み情報記憶機器に対する情報の記録を制御する、
ことを特徴とする記録制御方法。
【発明の詳細な説明】
【技術分野】
【０００１】
本発明は、映像等を録画可能なＴＶ又はレコーダ等に適用可能な記録制御装置及び記録制御方法に関する。
【背景技術】
【０００２】
近年、ＨＤＤを内蔵したＴＶが登場しており、このようなＴＶは、受信した番組を内蔵ＨＤＤへ録画することができる。また、このようなＴＶは、ＵＳＢ端子を介してＨＤＤを増設したり、ＬＡＮ端子を介してＨＤＤを増設したりすることが可能であり、受信した番組を増設ＨＤＤに対して録画したり、内蔵ＨＤＤに録画された番組を増設ＨＤＤへダビングしたりすることもできる。さらに、番組の録画先は上記したようなＨＤＤだけでなく、ＮＡＳ（Network Attached Storage）又はＳＤ（登録商標）でもよい。
【０００３】
上記したような複数の録画先へ映像等を録画する技術の一例として、１台又は複数台のＶＴＲから他の複数台又は１台のＶＴＲへ、映像等をダビングする技術が開示されている（特許文献１参照）。
【特許文献１】特開２００２−３５２４８７
【発明の開示】
【発明が解決しようとする課題】
【０００４】
上記したように、録画先が複数になると、録画先の選択操作が必要となる。これは、複数の録画機器を接続することが可能な録画装置に対して１台の録画機器だけが接続された状態であっても、やはり録画先の選択操作が必要となり、不便である。また、録画装置に対して複数台の録画機器が接続されており、接続された複数台の録画機器のうち特定の録画機器を毎回使用する場合にも、録画先の選択操作が毎回必要となり、不便である。
【０００５】
本発明の目的は、録画機器の接続状態に応じたスムーズな録画操作を可能とする記録制御装置及び記録制御方法を提供することにある。
【課題を解決するための手段】
【０００６】
この発明の一実施形態に係る記録制御装置は、複数の情報記憶機器と接続するための接続手段と、ユーザ操作に対応した指示を指定する指定手段と、前記接続手段を介して一つの情報記憶機器だけが接続された状態において、前記指定手段からの、情報記憶機器に対する情報記録の指定に対応し、情報記憶機器の選択画面を表示するための第１の表示情報を出力することなく、前記接続済み情報記憶機器に対する情報記録の指定画面を表示するための第２の表示情報を出力する表示情報出力手段と、前記指定手段からの、前記第２の表示情報により表示された指定画面を介した情報記録の指定に対応し、前記接続済み情報記憶機器に対する情報の記録を制御する記録制御手段と、を備える。
【０００７】
この発明の一実施形態に係る記録制御方法は、複数の情報記憶機器と接続するための接続部を介して一つの情報記憶機器だけが接続された状態において、情報記憶機器の選択画面を表示するための第１の表示情報を出力することなく、前記接続済み情報記憶機器に対する情報記憶の指定画面を表示するための第２の表示情報を出力し、前記第２の表示情報により表示された前記指定画面を介した情報記録の指定に対応し、前記接続済み情報記憶機器に対する情報の記録を制御する。
【発明の効果】
【０００８】
本発明によれば、録画機器の接続状態に応じたスムーズな録画操作を可能とする記録制御装置及び記録制御方法を提できる。
【発明を実施するための最良の形態】
【０００９】
以下、図面を参照し、本発明の実施形態について説明する。
【００１０】
図１は、この発明の一実施形態に係るデジタルテレビジョン受像機（記録制御装置）１１の外観と、このデジタルテレビジョン受像機１１を中心として構成されるネットワークシステムの一例を概略的に示している。
【００１１】
すなわち、デジタルテレビジョン受像機１１は、主として、薄型のキャビネット１２と、このキャビネット１２を起立させて支持する支持台１３とから構成されている。そして、キャビネット１２には、例えば液晶表示パネル等でなる平面パネル型の映像表示器１４、スピーカ１５、操作モジュール１６、リモートコントローラ１７から送信される操作情報を受ける受光モジュール１８等が設置されている。
【００１２】
また、このデジタルテレビジョン受像機１１には、例えばＳＤ（secure digital）メモリカード及びＭＭＣ（multimedia card）等の第１のメモリカード１９が着脱可能となっており、この第１のメモリカード１９に対して番組や写真等の情報の記録再生が行なわれるようになっている。
【００１３】
さらに、このデジタルテレビジョン受像機１１には、例えば契約情報等の記録された半導体メモリを内蔵する第２のメモリカード［ＩＣ（integrated circuit）カード］２０が着脱可能となっており、この第２のメモリカード２０に対して情報の記録再生が行なわれるようになっている。
【００１４】
また、このデジタルテレビジョン受像機１１は、ＬＡＮ（local area network）端子２１、第１のＨＤＭＩ端子２２、第２のＨＤＭＩ端子２３、ＵＳＢ（universal serial bus）端子２４およびｉ．ＬＩＮＫ端子２５を備えている。
【００１５】
ＬＡＮ端子２１は、ＬＡＮ対応ＨＤＤ（hard disk drive）専用ポートとして使用することができる。接続されたＮＡＳ（network attached storage）であるＬＡＮ対応のＨＤＤ４６に対して、イーサネット（登録商標）により情報の記録再生を行なうために使用される。このように、ＬＡＮ対応ＨＤＤ専用ポートとしてのＬＡＮ端子２１を設けることにより、他のネットワーク環境やネットワーク使用状況等に影響されることなく、ＨＤＤ２６に対してハイビジョン画質による番組の情報記録を安定して行なうことができる。
【００１６】
また、ＬＡＮ端子２１は、イーサネット（登録商標）を用いた一般的なＬＡＮ対応ポートとして使用することも可能で、例えばハブを介して、ＬＡＮ対応のＨＤＤ、ＰＣ（personal computer）、ＨＤＤ内臓のＤＶＤレコーダ、ＮＡＳ（Network Attached Storage）等の機器を接続し、これらの機器と情報伝送を行なうために使用される。
【００１７】
第１のＨＤＭＩ端子２２は、ＡＶアンプ２７を介して、ＤＶＤレコーダ２８およびＤＶＤプレーヤ２９の外部機器が接続されている。
【００１８】
また、第２のＨＤＭＩ端子２３は、例えばハブ３０を介して、ＨＤＭＩ端子を有したＡＶアンプ３１、ＰＣ（personal computer）３２、ＨＤＤ内臓のＤＶＤレコーダ３３、ＤＶＤプレーヤ３４等の外部機器を接続し、これらの外部機器と情報伝送を行なうために使用される。第１のＨＤＭＩ端子２２および第２のＨＤＭＩ端子２３は、ＨＤＭＩ規格に準拠した形態で外部機器と情報伝送するものである。
【００１９】
さらに、この第２のＨＤＭＩ端子２３は、ハブ３０に接続されたブロードバンドルータ３５を介して、例えばインターネット等のネットワーク３２に接続し、そのネットワーク３６を介してＰＣ３７や携帯電話３８等と情報伝送を行なうために使用される。
【００２０】
ＵＳＢ端子２４は、一般的なＵＳＢ対応ポートとして使用されるもので、例えばハブ３９を介して、携帯電話４０、デジタルカメラ４１、メモリカードに対するカードリーダ／ライタ４２、ＨＤＤ４３、キーボード４４等を接続し、これらのＵＳＢ機器と情報伝送を行なうために使用される。
【００２１】
ｉ．ＬＩＮＫ端子２５は、例えばＡＶ−ＨＤＤ４５及びＤ（digital）−ＶＨＳ（video home system）４６、さらには、地上波デジタルチューナ（図示せず）等をシリアル接続し、これらの機器と情報伝送を行なうために使用される。
【００２２】
図２は、上記したデジタルテレビジョン放送受信装置１１の主要な信号処理系を示している。すなわち、ＢＳ／ＣＳデジタル放送受信用のアンテナ４７で受信した衛星デジタルテレビジョン放送信号は、入力端子４８を介して衛星デジタル放送用のチューナ４９に供給されることにより、所望のチャンネルの放送信号が選局される。
【００２３】
そして、このチューナ４９で選局された放送信号は、ＰＳＫ（phase shift keying）復調器５０に供給されて、デジタルの映像信号及び音声信号に復調された後、信号処理モジュール５１に出力される。
【００２４】
また、地上波放送受信用のアンテナ５２で受信した地上デジタルテレビジョン放送信号は、入力端子５３を介して地上デジタル放送用のチューナ５４に供給されることにより、所望のチャンネルの放送信号が選局される。
【００２５】
そして、このチューナ５４で選局された放送信号は、ＯＦＤＭ（orthogonal frequency division multiplexing）復調器５５に供給されて、デジタルの映像信号及び音声信号に復調された後、上記信号処理モジュール５１に出力される。
【００２６】
また、上記地上波放送受信用のアンテナ５２で受信した地上アナログテレビジョン放送信号は、入力端子５３を介して地上アナログ放送用のチューナ５６に供給されることにより、所望のチャンネルの放送信号が選局される。そして、このチューナ５６で選局された放送信号は、アナログ復調器５７に供給されてアナログの映像信号及び音声信号に復調された後、上記信号処理モジュール５１に出力される。
【００２７】
ここで、上記信号処理モジュール５１は、ＰＳＫ復調器５０及びＯＦＤＭ復調器５５からそれぞれ供給されたデジタルの映像信号及び音声信号に対して、選択的に所定のデジタル信号処理を施し、グラフィック処理モジュール５８及び音声処理モジュール５９に出力している。
【００２８】
また、上記信号処理モジュール５１には、複数（図示の場合は４つ）の入力端子６０ａ，６０ｂ，６０ｃ，６０ｄが接続されている。これら入力端子６０ａ〜６０ｄは、それぞれ、アナログの映像信号及び音声信号を、デジタルテレビジョン放送受信装置１１の外部から入力可能とするものである。
【００２９】
そして、この信号処理モジュール５１は、上記アナログ復調器５７及び各入力端子６０ａ〜６０ｄからそれぞれ供給されたアナログの映像信号及び音声信号を選択的にデジタル化し、そのデジタル化された映像信号及び音声信号に対して所定のデジタル信号処理を施した後、グラフィック処理モジュール５８及び音声処理モジュール５９に出力している。
【００３０】
このうち、グラフィック処理モジュール５８は、信号処理モジュール５１から供給されるデジタルの映像信号に、ＯＳＤ（on screen display）信号生成モジュール６１で生成されるＯＳＤ信号を重畳して出力する機能を有する。このグラフィック処理モジュール５８は、信号処理モジュール５１の出力映像信号と、ＯＳＤ信号生成モジュール６１の出力ＯＳＤ信号とを選択的に出力すること、また、両出力をそれぞれ画面の半分を構成するように組み合わせて出力することができる。
【００３１】
そして、グラフィック処理モジュール５８から出力されたデジタルの映像信号は、映像処理モジュール６２に供給される。この映像処理モジュール６２は、入力されたデジタルの映像信号を、前記映像表示器１４で表示可能なフォーマットのアナログ映像信号に変換した後、映像表示器１４に出力して映像表示させるとともに、出力端子６３を介して外部に導出させる。
【００３２】
また、上記音声処理モジュール５９は、入力されたデジタルの音声信号を、前記スピーカ１５で再生可能なフォーマットのアナログ音声信号に変換した後、スピーカ１５に出力して音声再生させるとともに、出力端子６４を介して外部に導出させる。
【００３３】
ここで、このデジタルテレビジョン受像機１１は、上記した各種の受信動作を含むその全ての動作を制御モジュール６５によって統括的に制御されている。この制御モジュール６５は、ＣＰＵ（central processing unit）等を内蔵しており、前記操作モジュール１６からの操作情報、または、前記リモートコントローラ１７から送出され受光モジュール１８を介して受信した操作情報を受けて、その操作内容が反映されるように各モジュールをそれぞれ制御している。
【００３４】
この場合、制御モジュール６５は、主として、そのＣＰＵが実行する制御プログラムを格納したＲＯＭ（read only memory）６６と、該ＣＰＵに作業エリアを提供するＲＡＭ（random access memory）６７と、各種の設定情報及び制御情報等が格納される不揮発性メモリ６８とを利用している。
【００３５】
また、この制御モジュール６５は、カードＩ／Ｆ（interface）６９を介して、前記第１のメモリカード１９が装着可能なカードホルダ７０に接続されている。これによって、制御モジュール６５は、カードホルダ７０に装着された第１のメモリカード１９と、カードＩ／Ｆ６９を介して情報伝送を行なうことができる。
【００３６】
また、上記制御モジュール６５は、通信Ｉ／Ｆ７３を介してＬＡＮ端子２１と接続されている。これにより、制御モジュール６５は、ＬＡＮ端子２１に接続されたＬＡＮ対応のＨＤＤ２６と、通信Ｉ／Ｆ７３を介して情報伝送を行なうことができる。この場合、制御モジュール６５は、ＤＨＣＰ（dynamic host configuration protocol）サーバ機能を有し、ＬＡＮ端子２１に接続されたＬＡＮ対応のＨＤＤ２６にＩＰ（internet protocol）アドレスを割り当てて制御している。
【００３７】
さらに、上記制御モジュール６５は、第１のＨＤＭＩ Ｉ／Ｆ７４を介して第１のＨＤＭＩ端子２２と接続されている。これにより、制御モジュール６５は、第１のＨＤＭＩ端子２２に接続された各機器（図１参照）と、第１のＨＤＭＩ Ｉ／Ｆ７４を介して情報伝送を行なうことができる。また、上記制御モジュール６５は、第２のＨＤＭＩ Ｉ／Ｆ７５を介して第２のＨＤＭＩ端子２３と接続されている。これにより、制御モジュール６５は、第２のＨＤＭＩ端子２３に接続された各機器（図１参照）と、第２のＨＤＭＩ Ｉ／Ｆ７５を介して情報伝送を行なうことができる。
【００３８】
そして、上記制御モジュール６５は、ＵＳＢ Ｉ／Ｆ７６を介して前記ＵＳＢ端子２４と接続されている。これにより、制御モジュール６５は、ＵＳＢ端子２４に接続された各機器（図１参照）と、ＵＳＢ Ｉ／Ｆ７６を介して情報伝送を行なうことができる。
【００３９】
さらに、上記制御モジュール６５は、ｉ．ＬＩＮＫ Ｉ／Ｆ７７を介してｉ．ＬＩＮＫ端子２５と接続されている。これにより、制御モジュール６５は、ｉ．ＬＩＮＫ端子２５に接続された各機器（図１参照）と、ｉ．ＬＩＮＫ Ｉ／Ｆ７７を介して情報伝送を行なうことができる。
【００４０】
さらに、上記制御モジュール６５は、ＨＤＤ７８と接続されている。これにより、制御モジュール６５は、ＨＤＤ７８に対して情報伝送を行なうことができる。
【００４１】
上記したように、デジタルテレビジョン受像機１１は、ＨＤＤ７８（内蔵ＨＤＤ）を備え、さらに複数の情報記憶機器（複数の外部記憶機器）を接続することができる。外部記憶機器としては、例えば、ＮＡＳ、ＳＤ、ＨＤＤが挙げられる。デジタルテレビジョン受像機１１の制御モジュール６５は、外部記憶機器が接続されると、接続された外部記憶機器を認識することができ（アクセス可能になった外部記憶機器を検出することができ）、また外部記憶機器が取り外されると、取り外された外部記憶機器を検出することができる（アクセス不能になった外部記憶機器を検出することができる）。
【００４２】
例えば、操作モジュール１６又はリモートコントローラ１７を介して内蔵ＨＤＤの録画リスト表示が指定されると、図３に示すような録画リスト画面が映像表示器１４に表示される。ここで、デジタルテレビジョン受像機１１が、一つの外部記憶機器（例えばＳＤ）だけを接続した状態であると仮定する。このような状態において、操作モジュール１６又はリモートコントローラ１７を介して、録画リスト画面から所定の録画コンテンツ（例えばコンテンツＢ）が選択され、ダビング（或いはコピー又は移動）が指定されると、図３に示すようなダビング画面（或いはコピー画面又は移動画面）が映像表示器１４に表示される。
【００４３】
つまり、デジタルテレビジョン受像機１１が、一つの外部記憶機器（例えばＳＤ）だけを接続した状態で、操作モジュール１６又はリモートコントローラ１７を介して、録画リスト画面からのダビングが指定されると、制御モジュール６５、ＯＳＤ信号生成モジュール６１、及びグラフィック処理モジュール５８は、外部記憶機器の選択画面（ダビング先選択画面）を表示するための第１の表示情報を出力することなく、ダビング画面を表示するための第２の表示情報を出力する。さらに、操作モジュール１６又はリモートコントローラ１７を介してダビングが指定されると、制御モジュール６５は内蔵ＨＤＤに記憶された所定の録画コンテンツ（例えばコンテンツＢ）を、唯一接続された外部記憶機器（例えばＳＤ）へダビングする。
【００４４】
以上により、デジタルテレビジョン受像機１１が、一つの外部記憶機器（例えばＳＤ）だけを接続した状態において、ダビングが指定されると、デジタルテレビジョン受像機１１は、ダビング先選択画面の表示を省略して、唯一接続された外部記憶機器に対するダビング画面を表示する。これにより、ユーザは、ダビング先選択画面を介した外部記憶機器の選択操作の手間を省くことができる。
【００４５】
なお、上記説明では、内蔵ＨＤＤに記憶された所定の録画コンテンツを唯一接続された外部記憶機器へダビングするケースについて説明したが、本実施形態はこれだけに限定されるものではない。例えば、例えば受信した放送コンテンツを唯一接続された外部記憶機器へ録画するケースでも、ダビング先選択画面の表示を省略し、唯一接続された外部記憶機器に対する録画画面を表示するようにしてもよい。
【００４６】
また、上記と異なり、デジタルテレビジョン受像機１１が、複数の外部記憶機器（例えばＮＡＳ、ＳＤ、ＨＤＤ）を接続した状態であると仮定する。このような状態において、操作モジュール１６又はリモートコントローラ１７を介して、図４に示す録画リスト画面から所定の録画コンテンツ（例えばコンテンツＢ）が選択され、ダビング（或いはコピー又は移動）が指定されると、図４に示すダビング先選択画面が映像表示器１４に表示される。
【００４７】
つまり、デジタルテレビジョン受像機１１が、複数の外部記憶機器を接続した状態で、操作モジュール１６又はリモートコントローラ１７を介して、録画リスト画面からのダビングが指定されると、制御モジュール６５、ＯＳＤ信号生成モジュール６１、及びグラフィック処理モジュール５８は、ダビング先選択画面を表示するための第１の表示情報を出力する。さらに、操作モジュール１６又はリモートコントローラ１７を介してダビング先（例えばＳＤ）が選択されると、制御モジュール６５は選択されたダビング先を記憶し、制御モジュール６５、ＯＳＤ信号生成モジュール６１、及びグラフィック処理モジュール５８は、ダビング画面を表示するための第２の表示情報を出力する。さらに、操作モジュール１６又はリモートコントローラ１７を介してダビングが指定されると、制御モジュール６５は内蔵ＨＤＤに記憶された所定の録画コンテンツ（例えばコンテンツＢ）を、選択された外部記憶機器（例えばＳＤ）へダビングする。
【００４８】
上記した工程を経ると、ダビング先が選択された状態となる。つまり、デジタルテレビジョン受像機１１が、複数の外部記憶機器（例えばＮＡＳ、ＳＤ、ＨＤＤ）を接続した状態で且つダビング先選択状態において、操作モジュール１６又はリモートコントローラ１７を介して、図４に示す録画リスト画面からのダビングが指定されると、制御モジュール６５、ＯＳＤ信号生成モジュール６１、及びグラフィック処理モジュール５８は、ダビング先選択画面を表示するための第１の表示情報を出力することなく、選択された外部記憶機器に対するダビング先選択画面を表示するための第２の表示情報を出力する。つまり、図４に示す録画リスト画面の次に図４に示すダビング画面が表示され、図４に示すダビング先選択画面は表示されない。さらに、操作モジュール１６又はリモートコントローラ１７を介して指定された外部記憶機器に対するダビングが指定されると、制御モジュール６５は内蔵ＨＤＤに記憶された所定の録画コンテンツ（例えばコンテンツＢ）を、指定された外部記憶機器（例えばＳＤ）へダビングする。
【００４９】
以上により、デジタルテレビジョン受像機１１が、複数の外部記憶機器（ＮＡＳ、ＳＤ、ＨＤＤ）を接続した状態であって、一旦、ダビング先が選択された後で、ダビングが指定されると、デジタルテレビジョン受像機１１は、ダビング先選択画面の表示を省略して、選択された外部記憶機器に対するダビング画面を表示する。これにより、ユーザは、毎回、ダビング先選択画面を介した外部記憶機器の選択操作の手間を省くことができる。
【００５０】
なお、上記説明では、内蔵ＨＤＤに記憶された所定の録画コンテンツを指定した外部記憶機器へダビングするケースについて説明したが、本実施形態はこれだけに限定されるものではない。例えば、例えば受信した放送コンテンツを選択した外部記憶機器へ録画するケースでも、ダビング先選択画面の表示を省略し、選択した外部記憶機器に対する録画画面を表示するようにしてもよい。
【００５１】
また、選択された外部記憶機器に対するダビング画面は、ダビング先選択画面へのジャンプを指定するためのアイコンなどを含む。つまり、制御モジュール６５、ＯＳＤ信号生成モジュール６１、及びグラフィック処理モジュール５８から出力される第２の表示情報は、ダビング先選択画面へのジャンプを指定するためのアイコンなどを含む。これにより、ダビング先を変更したい場合に、アイコンを選択するだけでダビング先を変更することができる。
【００５２】
また、指定された外部記憶機器が取り外されるなどして、デジタルテレビジョン受像機１１が、指定された外部記憶機器へアクセス不能な状態となると、制御モジュール６５、ＯＳＤ信号生成モジュール６１、及びグラフィック処理モジュール５８は、指定された外部記憶機器に対してダビング不能なことを通知するための第３の表示情報（警告表示情報）を出力する。これにより、ユーザが意図していない外部記憶機器に対して、選択した所定のコンテンツがダビングされてしまうのを防止することができる。或いは、制御モジュール６５、ＯＳＤ信号生成モジュール６１、及びグラフィック処理モジュール５８は、ダビング先選択画面を表示するための第１の表示情報を出力する。これにより、簡単操作で、他の外部記憶機器に対して、選択した所定のコンテンツをダビングすることができる。
【００５３】
なお、制御モジュール６５が、ダビング先（外部記憶機器）の使用履歴を管理し、録画リスト画面からのダビング指定に対応して、制御モジュール６５、ＯＳＤ信号生成モジュール６１、及びグラフィック処理モジュール５８が、ダビング先選択画面を表示するための第１の表示情報を出力せずに、前回使用したダビング先に対するダビング画面を表示するための表示情報を出力したり、使用頻度の高いダビング先に対するダビング画面を表示するための表示情報を出力したりするようにしてもよい。
【００５４】
なお、上記したモジュールとは、ハードウェアで実現するものであっても良いし、ＣＰＵ等を使ってソフトウェアで実現するものであってもよい。
【００５５】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【図面の簡単な説明】
【００５６】
【図１】この発明の一実施形態に係るデジタルテレビジョン受像機（記録制御装置）の外観と、このデジタルテレビジョン受像機を中心として構成されるネットワークシステムの概略図である。
【図２】デジタルテレビジョン放送受信装置の主要な信号処理系を示す図である。
【図３】デジタルテレビジョン受像機に対して一つの外部記憶機器だけが接続された状態における画面遷移の一例を示す図である。
【図４】デジタルテレビジョン受像機に対して複数の外部記憶機器が接続された状態における画面遷移の一例を示す図である。
【符号の説明】
【００５７】
１１…情報通信端末、１２…キャビネット、１３…支持台、１４…映像表示器、１５…スピーカ、１６…操作部、１７…リモートコントローラ、１８…受光部、１９…第１のメモリカード、２０…第２のメモリカード、２１…ＬＡＮ端子、２２…第１のＨＤＭＩ端子、２３…第２のＨＤＭＩ端子、２４…ＵＳＢ端子、２５…ｉ．Link端子、２６…ＨＤＤ、２７…ＡＶアンプ、２８…ＤＶＤレコーダ、２９…ＤＶＤプレーヤ、３０…ハブ、３１…ＡＶアンプ、３２…ＰＣ、３３…ＤＶＤレコーダ、３４…ＡＶアンプ、３５…ブロードバンドルータ、３６…ネットワーク、３７…ＰＣ、３８…携帯電話、３９…ハブ、４０…携帯電話、４１…デジタルカメラ、４２…カードリーダ／ライタ、４３…ＨＤＤ、４４…キーボード、４５…ＡＶ−ＨＤＤ、４６…Ｄ−ＶＨＳ、４３…ＤＶＤレコーダ、４４…ＤＶＤプレーヤ、４５…ＤＶＤプレーヤ、４６…ＨＤＤ、４７…アンテナ、４８…入力端子、４９…チューナ、５０…ＰＳＫ復調器、５１…信号処理部、５２…アンテナ、５３…入力端子、５４…チューナ、５５…ＯＦＤＭ復調器、５６…チューナ、５７…アナログ復調器、５８…グラフィック処理部、５９…音声処理部、６０ａ〜６０ｄ…入力端子、６１…ＯＳＤ信号生成部、６２…映像処理部、６３…出力端子、６４…出力端子、６５…制御部、６６…ＲＯＭ、６７…ＲＡＭ、６８…不揮発性メモリ、６９…カードＩ／Ｆ、７０…カードホルダ、７１…カードＩ／Ｆ、７２…カードホルダ、７３…通信Ｉ／Ｆ、７４…第１のＨＤＭＩＩ／Ｆ、７５…第２のＨＤＭＩ Ｉ／Ｆ、７６…ＵＳＢＩ／Ｆ、７７…ｉ．Link Ｉ／Ｆ。
【図１】
2010040158.tif 000003
【図２】
2010040158.tif 000004
【図３】
2010040158.tif 000005
【図４】
2010040158.tif 000006